(57)【特許請求の範囲】
【請求項１】
問題文と複数の選択肢とを表示した問題画面に対する操作を受け付ける表示操作部と、
前記表示操作部において解答入力領域の表示要求操作を受け付けた場合、前記問題文と対応した解答入力領域を前記問題画面に表示された前記複数の選択肢を覆うように重ねて表示させる表示制御部と、を有する端末。
【請求項２】
前記問題画面に前記問題文と前記問題文の正解が含まれる複数の選択肢とが表示され、前記解答入力領域に前記選択肢に対応する識別子が表示される場合、
前記表示制御部は、
少なくとも前記問題画面に表示された前記複数の選択肢を覆うように前記解答入力領域を表示させる請求項１記載の端末。
【請求項３】
前記問題画面に前記問題文が表示され、前記解答入力領域に前記問題文の正解が含まれる複数の選択肢と前記選択肢に対応する識別子とが表示される場合、
前記表示制御部は、
前記問題画面に表示された前記問題文を覆うように前記解答入力領域を表示させる請求項１記載の端末。
【請求項４】
前記識別子は、番号を含む請求項２又は３記載の端末。
【請求項５】
前記解答入力領域において解答が選択された場合、
前記表示制御部は、
前記解答入力領域における表示フォントを変更する請求項１乃至４の何れか一項に記載の端末。
【請求項６】
前記解答入力領域において解答が選択された場合、
前記表示制御部は、
前記解答入力領域における表示の配置を変更する請求項１乃至５の何れか一項に記載の端末。
【請求項７】
コンピュータによる試験実施方法であって、該コンピュータが、
問題文と複数の選択肢とを表示した問題画面に対する操作を受け付け、
解答入力領域の表示要求操作を受け付けた場合、前記問題文と対応した解答入力領域を前記問題画面に表示された前記複数の選択肢を覆うように重ねて表示させる試験実施方法。
【請求項８】
コンピュータに、
問題文と複数の選択肢とを表示した問題画面に対する操作を受け付ける表示操作処理と、
前記表示操作処理において解答入力領域の表示要求操作を受け付けた場合、前記問題文と対応した解答入力領域を前記問題画面に表示された前記複数の選択肢を覆うように重ねて表示させる表示制御処理と、を実行させる試験実施プログラム。
【発明の詳細な説明】
【技術分野】
【０００１】
本発明は、試験を実施する端末、試験実施方法及び試験実施プログラムに関する。
【背景技術】
【０００２】
近年では、タブレット端末等を含む電子端末を利用した次世代型教育の実証実験等が行われており、今後はこの次世代型教育が全国的に浸透していくものと考えられる。電子端末を用いた環境においては、電子端末を導入することにより、教師の作業工数を削減することが期待されている。電子端末導入により工数削減が期待できる作業は、採点や、試験中の監督等が挙げられる。
【０００３】
例えばタブレット端末を用いて試験を行う場合には、紙を用いた試験とは異なり問題文の記載スペースに制限がないため、写真等を入れ込んだ一画面に１つ質問と解答入力領域を表示させることがある。この場合、次の質問に移動するときは、指で画面を滑らせて（スライドさせて）、タブレット端末に表示させるページを切り換える方法が採用される。
【０００４】
尚電子端末におけるページめくりは、例えばページめくり指示を受けて表示画面を切り換えることが既に知られている。
【先行技術文献】
【特許文献】
【０００５】
【特許文献１】特開２０１０−２０４４１８号公報
【発明の概要】
【発明が解決しようとする課題】
【０００６】
タブレット端末を用いた試験では、解答の際に机に置かれた解答用紙に覆いかぶさるような姿勢にならない場合がある。またタブレット端末を用いた試験は、デスクトップ端末のように、画面の角度がほぼ固定の状態で解答を続けるものでもない。
【０００７】
タブレット端末を用いた試験で問題文に解答する場合、解答者がタブレット端末を手に持ったまま解答をする場合等があり、容易に画面の角度が変化する。またタブレット端末では、一画面に質問と解答入力領域が表示される場合がある。
【０００８】
このためタブレット端末を用いた試験では、前後左右からの覗き見等の不正行為が行われ易くなる。
【０００９】
開示の技術は、電子端末を用いた試験において不正行為を抑制することが可能な端末、試験実施方法及び試験実施プログラムを提供することを目的としている。
【課題を解決するための手段】
【００１０】
開示の技術の一様態によれば、問題文と複数の選択肢とを表示した問題画面に対する操作を受け付ける表示操作部と、前記表示操作部において解答入力領域の表示要求操作を受け付けた場合、前記問題文と対応した解答入力領域を前記問題画面に表示された前記複数の選択肢を覆うように重ねて表示させる表示制御部と、を有する。
【００１１】
上記各部は、上記各部を実行する方法、上記各部の機能を実現するプログラム、そのプログラムを記憶したコンピュータ読み取り可能な記憶媒体とすることもできる。
【発明の効果】
【００１２】
電子端末を用いた試験において不正行為を抑制することができる。
【図面の簡単な説明】
【００１３】
【図１】第一の実施例の試験実施システムの構成の例を示す図である。
【図２】生徒端末のハードウェア構成の一例を示す図である。
【図３】教師端末が実現する機能を説明する図である。
【図４】生徒データベースの一例を示す図である。
【図５】問題データベースの一例を示す図である。
【図６】解答データベースの一例を示す図である。
【図７】表示順データベースの一例を示す図である。
【図８】生徒端末が実現する機能を説明する図である。
【図９】表示順テーブルの一例を示す図である。
【図１０】表示制御データベースの一例を示す図である。
【図１１】教師端末の動作を説明するフローチャートである。
【図１２】生徒端末の動作を説明するフローチャートである。
【図１３】第一の実施例における生徒端末における問題文及び選択肢と解答入力領域の表示について説明するフローチャートである。
【図１４】第一の実施例の生徒端末の表示例を示す図である。
【図１５】第二の実施例における生徒端末における問題文及び選択肢と解答入力領域の表示について説明するフローチャートである。
【図１６】第二の実施例の生徒端末の表示例を示す図である。
【図１７】第三の実施例における生徒端末における問題文及び選択肢と解答入力領域の表示について説明するフローチャートである。
【図１８】第三の実施例の生徒端末の表示例を示す図である。
【図１９】第三の実施例の生徒端末の表示の変形例を示す第一の図である。
【図２０】第三の実施例の生徒端末の表示の変形例を示す第二の図である。
【図２１】第三の実施例の生徒端末の表示の変形例を示す第三の図である。
【図２２】第四の実施例における生徒端末における問題文及び選択肢と解答入力領域の表示について説明するフローチャートである。
【図２３】第四の実施例の生徒端末の表示例を示す図である。
【図２４】第五の実施例における生徒端末における問題文及び選択肢と解答入力領域の表示について説明するフローチャートである。
【図２５】第五の実施例の生徒端末の表示例を示す第一の図である。
【図２６】第五の実施例の生徒端末の表示例を示す第二の図である。
【発明を実施するための形態】
【００１４】
（第一の実施例）
以下に図面を参照して第一の実施例について説明する。図１は、第一の実施例の試験実施システムの構成の例を示す図である。
【００１５】
本実施例の試験実施システム１００は、試験実施サーバ２００と試験実施端末３００とを有する。試験実施サーバ２００と試験実施端末３００とは、ネットワークを介して接続されている。本実施例の試験実施サーバ２００は、教師用の端末である。よって以下の説明では、試験実施サーバ２００を教師端末２００と呼ぶ。試験実施端末３００は、試験を受験する生徒に配布される生徒用の端末である。よって以下の説明では、試験実施端末３００を生徒端末３００と呼ぶ。
【００１６】
教師端末２００及び生徒端末３００は、それぞれがタブレット端末であっても良い。また教師端末２００は、例えばデスクトップ型あるいはノートブック型のコンピュータであり、生徒端末３００がタブレット端末であっても良い。
【００１７】
本実施例の教師端末２００は、生徒データベース２１０、問題データベース２２０、解答データベース２３０、表示順データベース２４０を有し、教師用プログラム２５０がインストールされている。
【００１８】
また本実施例の生徒端末３００は、問題データベース３１０、表示順テーブル３２０、表示制御データベース３３０を有し、生徒用プログラム３４０がインストールされている。尚問題データベース３１０は、教師端末２００から送信されたものであり、教師端末２００の有する問題データベース２２０と同様のものである。
【００１９】
本実施例の試験実施システム１００では、教師端末２００から問題データベース２２０の内容、具体的には、問題文と、正解が含まれる解答の選択肢とが生徒端末３００に送信される。生徒端末３００は、選択肢から問題文の正解と思われる選択肢を選ぶことで、問題文に解答したことになる。生徒端末３００において選択された選択肢は、生徒端末３００に順次記憶され、最後の問題の選択肢の選択が終了した後で、生徒端末３００を使用する生徒の解答として、教師端末２００へまとめて送信される。
【００２０】
図２は、生徒端末のハードウェア構成の一例を示す図である。本実施例の生徒端末３００は、それぞれバスＢで相互に接続されている表示操作装置３１，ドライブ装置３２，補助記憶装置３３，メモリ装置３４，演算処理装置３５及びインターフェース装置３６を有する。
【００２１】
表示操作装置３１は、タッチパネル等であり、各種信号の入力と各種情報の表示をするために用いられる。
【００２２】
インターフェース装置３６は、モデム，ＬＡＮカード等を含み、ネットワークに接続する為に用いられる。
【００２３】
生徒用プログラムは、生徒端末３００を制御する各種プログラムの少なくとも一部である。生徒用プログラムは例えば記録媒体３７の配布やネットワークからのダウンロードなどによって提供される。生徒用プログラムを記録した記録媒体３７は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２４】
また生徒用プログラムを記録した記録媒体３７がドライブ装置３２にセットされると、生徒用プログラムは記録媒体３７からドライブ装置３２を介して補助記憶装置３３にインストールされる。ネットワークからダウンロードされた生徒用プログラムは、インターフェース装置３６を介して補助記憶装置３３にインストールされる。
【００２５】
生徒端末３００は、インストールされた生徒用プログラムを格納すると共に、必要なファイル，データ等を格納する。メモリ装置３４は、コンピュータの起動時に補助記憶装置３３から生徒用プログラムを読み出して格納する。そして、演算処理装置３５はメモリ装置３４に格納された生徒用プログラムに従って、後述するような各種処理を実現している。
【００２６】
本実施例の教師端末２００のハードウェア構成は生徒端末３００と同様である。尚本実施例の教師端末２００は、例えばデスクトップ型あるいはノートブック型のコンピュータであっても良い。その場合、教師端末２００は、操作表示装置の代わりに、キーボードやマウス等を含む入力装置と、ディスプレイ等を含む出力装置とを有する。
【００２７】
次に、本実施例の教師端末２００にインストールされた教師用プログラム２５０が教師端末２００に実現させる機能について説明する。図３は、教師端末が実現する機能を説明する図である。以下に示す各部の機能は、教師端末２００が教師用プログラム２５０を実行することで実現される。
【００２８】
本実施例の教師端末２００は、認証部２５１、表示順データベース作成部２５２、問題及び表示順送信部２５３、正誤判定部２５４、解答データベース作成部２５５を有する。
【００２９】
認証部２５１は、生徒端末３００から送信される生徒ＩＤとパスワードと生徒データベース２１０とに基づき、生徒の認証を行う。表示順データベース作成部２５２は、問題データベース２２０に格納された問題文の表示順を生徒ＩＤ毎にランダムに決定し、生徒ＩＤと表示順とを対応付けた表示順データベース２４０を作成する。
【００３０】
問題及び表示順送信部２５３は、問題データベース２２０の内容を生徒端末３００に送信するとともに、表示順データベース２４０を参照し、生徒ＩＤに対応した表示順を生徒端末３００に送信する。正誤判定部２５４は、生徒端末３００から生徒ＩＤと問題文の解答とを受信すると、問題データベース２３０を参照して生徒の解答の正誤を判定する。解答データベース作成部２５５は、生徒ＩＤ毎の解答が格納される解答データベース２３０を作成する。
【００３１】
次に図４乃至７を参照して教師端末２００の有する各データベースについて説明する。本実施例の各データベースは、例えば教師端末２００の補助記憶装置２４内の所定の記憶領域に設けられていても良い。
【００３２】
図４は、生徒データベースの一例を示す図である。本実施例の生徒データベース２１０は、例えば教師端末２００を操作する教師等により予め登録されている。生徒データベース２１０は、生徒端末３００毎に割り振られた生徒ＩＤ、パスワード、生徒名が対応付けられて格納されている。
【００３３】
図５は、問題データベースの一例を示す図である。本実施例の問題データベース２２０は、例えば教師端末２００を操作する教師等により予め登録されている。問題データベース２２０では、問題文を識別するための問題ＩＤ、問題文の内容、選択肢１〜４、正解の選択肢の番号が対応づけられて格納されている。
【００３４】
尚本実施例では、問題データベース２２０は、試験開始時に生徒端末３００に送信されても良い。
【００３５】
図６は、解答データベースの一例を示す図である。本実施例の解答データベース２３０には、問題ＩＤと、問題ＩＤに対応した問題文の解答と、解答の正誤と、が生徒ＩＤに対応付けられて格納される。本実施例の解答データベース２３０は、生徒ＩＤ毎に作成される。本実施例では、解答データベース作成部２５５が、問題ＩＤ、解答、解答の正誤を生徒ＩＤと対応付けて解答データベース２３０に格納する。
【００３６】
図７は、表示順データベースの一例を示す図である。本実施例の表示順データベース２４０は、生徒ＩＤと、問題文の表示順とが対応付けられている。図７の例では、例えば生徒ＩＤ２０１０００１を送信した生徒端末３００には、問題文ＩＤ１０１１５の問題文、問題文ＩＤ１０１１１の問題文、問題文ＩＤ１０１１３の問題文という順に表示させる。また生徒ＩＤ２０１０００２を送信した生徒端末３００には、問題文ＩＤ１０１１２の問題文、問題文ＩＤ１０１１３の問題文、問題文ＩＤ１０１１４の問題文という順に表示させる。
【００３７】
本実施例の表示順データベース２４０では、生徒ＩＤ毎に問題文の表示順が異なるように、ランダムに表示順が決定されている。
【００３８】
次に、本実施例の生徒端末３００にインストールされた生徒用プログラム３４０が生徒端末３００に実現させる機能について説明する。図８は、生徒端末が実現する機能を説明する図である。以下に示す各部の機能は、生徒端末３００が生徒用プログラム３４０を実行することで実現される。
【００３９】
本実施例の生徒端末３００は、認証情報送信部３４１、問題及び表示順受信部３４２、問題文表示部２４３、なぞり検知部３４４、表示制御部３４５、解答取得部３４６、解答送信部３４７を有する。
【００４０】
認証情報送信部３４１は、生徒端末３００において生徒により入力された認証情報を教師端末２００へ送信する。生徒端末３００に入力される認証情報とは、例えば生徒ＩＤとパスワードである。
【００４１】
問題及び表示順受信部３４２は、教師端末２００から送信された問題及び表示順を受信し、問題データベース３１０並びに表示順テーブル３２０に格納する。問題表示部３４３は、問題データベース３１０と表示順テーブル３２０とを参照し、表示順テーブル３２０に格納された表示順に従って問題文を含む問題画面を生徒端末３００に表示させる。本実施例では、問題画面に問題文の解答として選択される選択肢も同時に表示させるものとした。
【００４２】
なぞり検知部３４４は、生徒端末３００において生徒による操作があったか否かを検知する。
【００４３】
表示制御部３４５は、表示制御データベース３３０を参照し、なぞり検知部３４４により検知された操作に応じて、問題画面における解答入力領域又は確認領域の表示を制御する。本実施例の解答入力領域とは、問題画面に表示された問題文に対する解答の入力を受け付ける領域である。また本実施例の確認領域とは、解答済みの問題の解答が表示される領域であり、主に見直しのために表示される。表示制御部３４５の詳細は後述する。
【００４４】
解答取得部３４６は、生徒端末３００において解答として選択された選択肢の番号を取得し、表示順テーブル３２０へ格納する。解答送信部３４７は、表示順テーブル３２０を参照し、問題ＩＤと問題ＩＤに対応した解答とを生徒ＩＤと共に教師端末２００へ送信する。
【００４５】
次に図９、図１０を参照して生徒端末３００の有する表示順テーブル３２０と表示制御データベース３３０について説明する。本実施例の表示順テーブル３２０と表示制御データベース３３０は、例えば生徒端末３００の補助記憶装置内の所定の記憶領域に設けられていても良い。
【００４６】
図９は、表示順テーブルの一例を示す図である。本実施例の表示順テーブル３２０は、表示順と問題ＩＤと、問題ＩＤに対応する解答とが対応付けられ格納されている。解答とは、問題ＩＤと対応する問題文の解答として、生徒端末３００で選択されたときに格納される選択肢の番号である。
【００４７】
図１０は、表示制御データベースの一例を示す図である。本実施例の表示制御データベース３３０では、操作と操作に対応する表示制御とが対応付けられている。図１０では、例えば操作をなぞり方向となぞり早さで定義し、各操作に解答入力領域や確認領域の表示制御が割り当てられている。確認領域とは、解答後に解答の見直しを行う際に表示される欄である。
【００４８】
例えば生徒端末３００において問題画面を下から上に早い速度でなぞる操作が行われた場合、表示制御部３４５は、問題画面に解答入力領域又は確認領域を表示させる。尚本実施例における早い速度でなぞる操作はフリック操作に対応し、遅い速度でなぞる操作はスクロール操作に対応するものとした。
【００４９】
次に図１１を参照して本実施例の教師端末２００の動作を説明する。図１１は、教師端末の動作を説明するフローチャートである。
【００５０】
教師端末２００は、生徒端末３００から試験準備要求を受け付けると（ステップＳ１１０１）、生徒端末３００に認証画面を送信する（ステップＳ１１０２）。続いて教師端末２００は、生徒端末３００から生徒ＩＤとパスワードを受信したか否かを判断する（ステップＳ１１０３）。
【００５１】
ステップＳ１１０３にて生徒ＩＤとパスワードを受信すると、教師端末２００は認証部２５１により、生徒データベース２１０を用いて生徒の認証を行う（ステップＳ１１０４）。認証部２５１により生徒が認証された場合（ステップＳ１１０５）、教師端末２００は試験を受ける生徒全員を認証したか否かを判断する（ステップＳ１１０６）。尚具体的には、認証部２５１は、試験準備要求を受け付けた全ての生徒端末３００から送信された生徒ＩＤとパスワードについて、認証されたか否かを判断する。
【００５２】
ステップＳ１１０５において認証部２５１により生徒が認証されない場合、教師端末２００は生徒端末３００へ認証エラーを送信する（ステップＳ１１０７）。
【００５３】
ステップＳ１１０６において全員の認証が行われていない場合、ステップＳ１１０３へ戻る。
【００５４】
ステップＳ１１０６において全員の認証が行われた場合、教師端末２００は、表示順データベース作成部２５２により、問題データベース２２０に格納された問題文及び解答選択肢を生徒端末３００へ送信する（ステップＳ１１０８）。続いて教師端末２００は、問題文の表示順を生徒毎にランダムに決めた表示順データベース２４０を作成する（ステップＳ１１０９）。続いて教師端末２００は、問題及び表示順送信部２５３により、問題データベース２２０の問題文と、表示順データベース２４０における生徒ＩＤに対応した表示順とを生徒端末３００へ送信する（ステップＳ１１１０）。
【００５５】
続いて教師端末２００は、生徒端末３００から生徒ＩＤと問題ＩＤと解答を受信したか否かを判断する（ステップＳ１１１１）。ステップＳ１１１１において生徒ＩＤと問題ＩＤと解答を受信しない場合、教師端末２００は受信するまで待機する。ステップＳ１１１１において生徒ＩＤと問題ＩＤと解答を受信すると、教師端末２００は正誤判定部２５４により、問題データベース２２０を参照して解答の正誤を判断する（ステップＳ１１１２）。
【００５６】
続いて教師端末２００は、解答データベース作成部２５５により、生徒ＩＤ毎の解答データベース２３０を作成し、受信した解答を格納する（ステップＳ１１１３）。続いて教師端末２００は、全員分の解答データベース２３０を作成したか否かを判断する（ステップＳ１１１４）。具体的には教師端末２００は、試験準備要求を受け付けた全ての生徒端末３００から生徒ＩＤと問題ＩＤと解答を受信したか否かを判断する。
【００５７】
ステップＳ１１１４において全員分の解答データベース２３０を作成していない場合、ステップＳ１１１１へ戻る。ステップＳ１１１４において全員分の解答データベース２３０を作成した場合、教師端末２００は処理を終了する。
【００５８】
次に図１２を参照して本実施例の生徒端末３００の動作を説明する。図１２は、生徒端末の動作を説明するフローチャートである。
【００５９】
本実施例の生徒端末３００は、表示操作装置３１から試験準備要求を受け付けると（ステップＳ１２０１）、試験準備要求を教師端末２００へ送信する（ステップＳ１２０２）。続いて生徒端末３００は、教師端末２００から認証画面を受信し、表示操作装置３１へ表示させる（ステップＳ１２０３）。
【００６０】
生徒端末３００は、認証画面に生徒ＩＤとパスワードとが入力されると（ステップＳ１２０４）、認証情報送信部３４１が生徒ＩＤとパスワードを教師端末２００へ送信する（ステップＳ１２０５）。尚生徒端末３００は、認証画面に生徒ＩＤとパスワードが入力されない場合は、生徒ＩＤとパスワードが入力されるまで待機する。
【００６１】
続いて生徒端末３００は、教師端末２００から認証エラーを受けたか否かを判断する（ステップＳ１２０６）。ステップＳ１２０６において認証エラーを受けた場合、生徒端末３００は、表示操作装置３１にエラー通知を表示し、認証画面を再表示させる（ステップＳ１２０７）。ステップＳ１２０６において認証エラーを受けない場合、生徒端末３００は教師端末２００から問題データベース２２０の内容である問題文と解答選択肢と問題文の表示順とを受信したか否かを判断する（ステップＳ１２０８）。
【００６２】
ステップＳ１２０８において問題文と解答選択肢と問題の表示順とを受信しない場合、生徒端末３００は問題文を受信するまで待機する。ステップＳ１２０８において問題文と解答選択肢と問題文の表示順とを受信すると、生徒端末３００は、問題文及び表示順受信部３４２により教師端末２００から受信した問題文と解答選択肢とを問題データベース３１０へ格納するとともに、表示順を受信し表示順テーブル３２０に格納する（ステップＳ１２０９）。
【００６３】
以下にステップＳ１２０８とステップＳ１２０９の処理の詳細を説明する。
【００６４】
生徒端末３００は、表示順を受信すると、問題データベース３１０の問題ＩＤと、受信した表示順との対応付けを行い、表示順テーブル３２０に格納する。
【００６５】
本実施例では、この処理により生徒端末３００毎に表示される問題文の順番を異ならせることができる。
【００６６】
続いて生徒端末３００は、試験開始要求を教師端末２００から受信したか否かを判断する（ステップＳ１２１０）。ステップＳ１２１０において試験開始要求を受信しない場合、試験開始要求を受信するまで待機する。
【００６７】
ステップＳ１２１０において試験開始要求を受信すると、生徒端末３００は問題表示部３４３により、表示順テーブル３２０で表示順が最初の問題ＩＤを取得する。そして問題表示部３４３は、問題データベース３１０を参照し、問題ＩＤと対応する問題文と問題文の選択肢とを含む問題画面を表示操作装置３１に表示させる（ステップＳ１２１１）。
【００６８】
続いて生徒端末３００は、なぞり検知部３４４が問題画面において解答するためのなぞりを検知したか否かを判断する（ステップＳ１２１２）。ステップＳ１２１２においてなぞりを検知しない場合、生徒端末３００はなぞりを検知するまで待機する。ステップＳ１２１２においてなぞりを検知した場合、生徒端末３００の表示制御部３４５は、表示制御データベース３３０を参照し、なぞりと対応した表示制御を行う（ステップＳ１２１３）。ステップＳ１２１３の詳細は後述する。
【００６９】
次に生徒端末３００は、表示順テーブル３２０に次の表示順の問題ＩＤが存在するか否かを判断する（ステップＳ１２１４）。ステップＳ１２１４において次の表示順の問題ＩＤが存在する場合、生徒端末３００は、ステップＳ１２１１へ戻る。ステップＳ１２１４において次の表示順の問題ＩＤが存在しない場合、生徒端末３００は、解答送信部３４７により、表示順テーブル３２０から問題ＩＤと解答とを取得し、教師端末２００へ送信し（ステップＳ１２１５）、処理を終了する。
【００７０】
ここで本実施例の生徒端末３００におけるステップＳ１２１２ないしステップＳ１２１４について説明する。
【００７１】
本実施例の生徒端末３００では、問題文を表示する際に、一つの問題文と問題文に対応する選択肢とを同時に一つの問題画面に表示させる。そして生徒が解答として選択肢の番号を選択する際には、表示制御部３４５は、解答と問題文とが同時に表示されないように、問題画面に解答入力領域を重ねて表示させる。具体的には表示制御部３４５は、問題画面に表示された問題文及び選択肢の一部が解答入力領域で覆われるように、解答入力領域を表示させる。
【００７２】
本実施形態では、このように解答入力領域を表示させることで、問題文と解答とが同一画面に同時に表示されることがなくなるため、覗き見等の不正行為を抑制することができる。
【００７３】
以下に本実施例の生徒端末３００における問題文及び選択肢と解答入力領域の表示について説明する。
【００７４】
図１３は、第一の実施例における生徒端末における問題文及び選択肢と解答入力領域の表示について説明するフローチャートである。図１３の処理は、図１２のステップＳ１２１３の処理の詳細を示すものである。
【００７５】
本実施例の生徒端末３００は、なぞり検知部３４４が問題画面におけるなぞり方向が画面の下から上方向で且つなぞりが早いか否かを判断する（ステップＳ１３０１）。ステップＳ１３０１においてなぞり方向が画面の下から上方向で且つなぞりが早い場合、生徒端末３００はこの操作を解答入力領域の表示要求と判断する。そして生徒端末３００は、表示制御部３４５により、解答入力領域を表示操作装置３１の下から上方向に向かって表示させる（ステップＳ１３０２）。
【００７６】
続いて生徒端末３００は、解答が選択されて解答送信ボタンが操作されたか否かを判断する（ステップＳ１３０３）。ステップＳ１３０３において操作されない場合、操作されるまで待機する。ステップＳ１３０３において操作された場合、生徒端末３００は、表示順テーブル３２０に選択された解答を対応する問題ＩＤと対応付けて記録する（ステップＳ１３０４）。
【００７７】
続いて生徒端末３００は、なぞり検知部３４４がなぞりを検知したか否かを判断する（ステップＳ１３０５）。ステップＳ１３０５においてなぞりを検知しない場合、なぞりを検知するまで待機する。ここでは発明をわかりやすくなるように待機するという処理としたが、実際にはステップＳ１３０１と逆方向のなぞりがあれば、解答入力領域を下に戻すような処理が行われても良い。
【００７８】
ステップＳ１３０５においてなぞりを検知した場合、生徒端末３００は、なぞりが画面の下から上方向で且つなぞりが早いか否かを判断する（ステップＳ１３０６）。ステップＳ１３０６においてなぞりが画面の下から上方向で且つなぞりが早い場合、このなぞりの操作を生徒端末３００は次の問題表示要求と判断し、図１２のステップＳ１２１４へ進む。
【００７９】
ステップＳ１３０１において、ＮＯの場合、生徒端末３００はなぞり方向が横方向で且つなぞりが早いか否かを判断する（ステップＳ１３０７）。尚横方向のなぞりとは、例えば画面を右から左又は左から右へなぞった場合である。
【００８０】
ステップＳ１３０７において横方向で且つなぞりが早い場合、生徒端末３００はこの操作を確認領域の表示要求と判断する。そして生徒端末３００は、表示制御部３４５により、表示順テーブル３２０に基づく解答の確認領域を生成して表示させ（ステップＳ１３０８）、ステップＳ１３０５へ進む。ステップＳ１３０７においてＮＯの場合、生徒端末３００は表示操作装置３１に表示された画面を動かさない。またはこのとき生徒端末３００に他の画面へ移動する設定がなされていた場合には、表示制御部３４５は設定に従った画面を表示させる（ステップＳ１３０９）。ステップＳ１３０９の後に、生徒端末３００はステップＳ１３０５へ進む。
【００８１】
以下に図１４を参照して、図１３に示す処理を行った場合の生徒端末３００における表示について説明する。
【００８２】
図１４は、第一の実施例の生徒端末の表示例を示す図である。図１４（Ａ）は問題文と選択肢とが表示された問題画面１４１を示す。図１４（Ｂ）は解答入力領域で問題文と選択肢とが覆われた問題画面１４２を示す。図１４（Ｃ）は確認領域で問題文と選択肢とが覆われた問題画面１４３を示す。
【００８３】
本実施例の問題画面１４１では、問題番号、問題番号に対応した問題文、問題文に対応した解答の選択肢が表示されている。問題画面１４１の問題番号とは、表示順テーブル３２０の表示順と同様である。問題画面１４１では、問題番号がＱ５である。Ｑ５に対応する問題文は、表示順テーブル３２０の表示順が５番の問題文である。よって問題画面１４１で表示される問題文は、問題ＩＤ１０１１８の問題文である。
【００８４】
本実施例では、問題画面１４１の何れかの箇所において、生徒の指等により下から上へ向かう方向に問題画面１４１を早くなぞる操作が行われると、解答入力領域１４４が下から上に向かって引き出されるようにして表示される。解答入力領域１４４が入力された問題画面１４２では、問題文と選択肢とが解答入力領域１４４により覆われている。また解答入力領域１４４には、選択肢の番号と選択欄とが表示されており、選択肢の内容は表示されない。したがって問題画面１４２では、解答と問題文及び選択肢とが同時に表示されない。
【００８５】
また問題画面１４１の何れかの箇所において、生徒の指等により右から左へ向かう方向に問題画面１４１を早くなぞる操作が行われると、確認領域１４５が画面の右側から左側へ引き出されるようにして表示される。確認領域１４５が表示された問題画面１４３では、確認領域１４５により、問題文と選択肢とが覆われた状態となる。また確認領域１４５には、問題文番号と解答済みか否かを示す情報とが表示されている。したがって問題画面１４３では、解答と問題文及び選択肢とが同時に表示されない。
【００８６】
以上のように本実施例の生徒端末３００は、問題画面に問題文と解答の選択肢とを同時に表示させ、生徒により解答入力領域の表示要求を受けたとき、問題文と選択肢とを覆うように解答入力領域を表示させる。このため本実施例では、生徒が解答入力領域において解答を選択する行為の開始から解答を選択するまでの間、問題文と選択肢とが見えない状態となる。よって本実施例では、表示操作装置３１の一画面に一問を大きく表示とした場合でも、問題文と解答とが同時に同一画面に表示されることがなく、カンニング等の不正行為を抑制できる。
【００８７】
また本実施例の生徒端末３００は、生徒により確認領域の表示要求を受けたとき、問題文と選択肢とを覆うように確認領域を表示させる。よって本実施例では、見直しを行う際にも、問題文と解答とが同時に同一画面に表示されることがなく、カンニング等の不正行為を抑制できる。
【００８８】
尚図１４の例では、問題文と選択肢とが解答入力領域や確認領域で覆われるものとしたが、これに限定されない。例えば問題画面１４１において解答入力領域の表示要求があった場合、生徒端末３００は、解答入力領域で選択肢のみを覆っても良い。この場合、解答入力領域が表示されると、問題画面には問題文と選択肢の選択欄のみが表示され、問題文に対応する選択肢の内容まで表示されない。よってこの場合でも、問題文と解答とが同時に同一画面に表示されることはない。また本実施例では、問題の表示順が生徒毎に異なるように決められているため、他の生徒と同じ問題が同じ時間帯に表示されることは考えにくい。よって問題文と解答の選択欄のみの表示であれば、カンニング等の不正行為を行うことは困難となる。
【００８９】
また本実施例では、例えば問題画面１４１の何れかの箇所において、上から下へ向かう方向に問題画面１４１を早くなぞる操作が行われた場合、解答入力領域１４４を画面の上から下へ向かって引き出すように表示しても良い。この場合にも、解答入力領域１４４で問題文と選択肢を覆っても良いし、解答入力領域１４４で問題文のみを覆っても良い。
【００９０】
また本実施例では、左から右へ向かう方向に問題画面１４１を早くなぞる操作が行われた場合に、確認領域１４５が問題画面の左から右へ引き出されるように表示されても良い。
【００９１】
また本実施例では、解答入力領域１４４や確認領域１４５で問題文や選択肢を覆う際に、少なくとも問題番号は覆われないようにしても良い。また本実施例では、例えば図示しないしおり等が問題文と共に表示されていた場合には、解答入力領域１４４や確認領域１４５を表示する際に、少なくともしおりは表示されるようにしても良い。
【００９２】
また本実施例では、問題文と解答の内容とが表示操作装置３１に同時に表示されなければ良い。本実施例では、例えば問題文と共に解答の選択肢の内容が表示されていた場合には、少なくとも選択肢の内容を解答入力領域で覆えば、問題文と解答の内容とが同時に表示されることはない。また例えば解答入力領域に解答の選択肢の内容と選択肢の選択欄が表示される場合には、解答入力領域で問題文を覆えば問題文と解答の内容とが同時に表示されることはない。
【００９３】
（第二の実施例）
以下に図面を参照して第二の実施例について説明する。第二の実施例では、解答入力領域の形態が第一の実施例と異なる。
【００９４】
図１５は、第二の実施例における生徒端末における問題文及び選択肢と解答入力領域の表示について説明するフローチャートである。
【００９５】
本実施例の生徒端末３００は、なぞり検知部３４４が問題画面におけるなぞり方向が画面の下から上方向で且つなぞりが早いか否かを判断する（ステップＳ１５０１）。ステップＳ１５０１においてなぞり方向が画面の下から上方向で且つなぞりが早い場合、生徒端末３００はこの操作を解答入力領域の表示要求と判断する。そして生徒端末３００は、表示順テーブル３２０に基づき解答入力領域を生成し、画面の下から上方向に向かって表示させる（ステップＳ１５０２）。
【００９６】
ステップＳ１５０３からステップＳ１５０９までの処理は、図１３のステップＳ１３０３からステップＳ１３０９までの処理と同様であるから、説明を省略する。
【００９７】
図１６は、第二の実施例の生徒端末の表示例を示す図である。図１６（Ａ）に示す画面１４１と図１６（Ｃ）に示す問題画面１４３は、図１４で説明した問題画面１４１と問題画面１４３と同様であるから説明を省略する。
【００９８】
図１６（Ｂ）に示す解答入力領域１４４Ａは、複数の問題文に対応した選択欄のうち、解答済みの選択欄にはマーキングがされた状態で表示される。問題画面１４２Ａに表示された解答入力領域１４４Ａでは、問題番号Ｑ１〜Ｑ４に対応した選択欄Ａ１〜Ａ４には、解答として選択された選択肢の番号にマーキングがされている。したがって解答入力領域１４４Ａでは、問題番号Ｑ１〜Ｑ４については解答済みであることがわかる。
【００９９】
尚解答入力領域１４４Ａが表示される際も、第一の実施例と同様に問題文と選択肢とが覆われるように表示される。
【０１００】
（第三の実施例）
以下に図面を参照して第三の実施例について説明する。第三の実施例では、解答入力領域が問題画面の横から引き出される点が第一の実施例と異なる。
【０１０１】
図１７は、第三の実施例における生徒端末における問題文及び選択肢と解答入力領域の表示について説明するフローチャートである。
【０１０２】
本実施例の生徒端末３００は、なぞり検知部３４４が問題画面におけるなぞり方向が画面の横方向で且つなぞりが早いか否かを判断する（ステップＳ１７０１）。ステップＳ１７０１においてなぞり方向が問題画面の横方向で且つなぞりが早い場合、生徒端末３００はこの操作を解答入力領域の表示要求と判断する。そして生徒端末３００は、表示制御部３４５により、表示操作装置３１に表示された問題文の解答入力領域を問題画面の横から引き出すように表示させる（ステップＳ１７０２）。尚横方向とは、右から左へ向かう方向でも良いし、左から右へ向かう方向でも良い。
【０１０３】
ステップＳ１７０３とステップＳ１７０４の処理は、図１３のステップＳ１３０３とステップＳ１３０４の処理と同様であるから説明を省略する。
【０１０４】
続いて生徒端末３００は、なぞり検知部３４４が、なぞり方向が横方向で且つ早いなぞりを検知したか否かを判断する（ステップＳ１７０５）。ステップＳ１７０５においてなぞりが検知されない場合、後述するステップＳ１７０９へ進む。
【０１０５】
ステップＳ１７０５においてなぞり方向が横方向で且つ早いなぞりを検知した場合、生徒端末３００は、表示制御部３４５によりステップＳ１７０３で選択した解答と対応する選択肢が表示された選択内容確認領域を問題画面の横から引き出すように表示させる（ステップＳ１７０６）。続いて生徒端末３００は、なぞり検知部３４４が、なぞり方向が横方向で且つ早いなぞりを検知したか否かを判断する（ステップＳ１７０７）。
【０１０６】
ステップＳ１７０７において再度横方向の早いなぞりが検知された場合、生徒端末３００はステップＳ１７０２の処理へ戻る。本実施例では、ステップＳ１７０７の処理により、例えばステップＳ１７０６で表示された選択内容確認領域において自身の解答の間違いに気づいた場合に、再度解答入力領域を表示させることができる。
【０１０７】
ステップＳ１７０７において横方向の早いなぞりが検知されない場合、生徒端末３００は、問題画面の下から上方向で且つなぞりを検知したか否かを判断する（ステップＳ１７０８）。すなわち生徒端末３００は、ステップＳ１７０８において次の問題表示要求が成されたか否かを判断する。
【０１０８】
ステップＳ１７０８において次の問題表示要求がなされた場合、生徒端末３００は図１２のステップＳ１２１４へ進む。
【０１０９】
ステップＳ１７０８において次の問題表示要求がない場合、生徒端末３００は表示操作装置３１に表示された画面を動かさない。又はこのとき生徒端末３００に他の画面へ移動する設定がなされていた場合には、表示制御部３４５は設定に従った画面を表示操作装置３１に表示させる（ステップＳ１７０９）。続いて生徒端末３００は、なぞり検知部３４４がなぞりを検知したか否かを判断する（ステップＳ１７１０）。ステップＳ１７１０においてなぞりが検知された場合、生徒端末３００はステップＳ１７０１へ戻る。ステップＳ１７１０においてなぞりが検知されない場合、生徒端末３００はなぞりを検知するまで待機する。すなわち生徒端末３００は、表示された問題文に対して解答が入力されるか、又は次の問題表示要求がなされるまで待機する。
【０１１０】
図１８は、第三の実施例の生徒端末の表示例を示す図である。図１８（Ａ）は問題文と選択肢とが表示された問題画面１８１を示す。図１８（Ｂ）は解答入力領域１８４で問題文と選択肢とが覆われた問題画面１８２を示す。図１８（Ｃ）は選択内容確認領域１８５で問題文と選択肢とが覆われた問題画面１８３を示す。
【０１１１】
本実施例では、問題画面１８１の何れかの箇所において、生徒の指等により例えば右から左へ向かう方向に早くなぞる操作が行われると、解答入力領域１８４が右から左に向かって引き出されるようにして表示される。そして画面１８２では、解答入力領域１８４により、問題文と選択肢とが覆われた状態となる。また解答入力領域１８４には、選択肢の番号と選択欄とが表示されており、選択肢の内容は表示されない。したがって問題画面１８２では、解答と問題文及び選択肢とが同時に表示されない。
【０１１２】
また本実施例では、問題画面１８２の何れかの箇所において生徒の指等により右から左へ向かう方向に早くなぞる操作が行われると、選択内容確認領域１８５が画面の右から左へ引き出されるようにして表示される。そして問題画面１８３は、選択内容確認領域１８５により、問題文と選択肢とが覆われた状態となる。
【０１１３】
また選択内容確認領域１８５には、解答入力領域１８４において選択した選択肢の番号に対応した選択肢の内容が表示される。よって生徒は、選択した解答の内容を選択内容確認画面１８４で確認することができる。
【０１１４】
また本実施例では、問題画面１８３の何れかの箇所において、再度右から左へ向かう方向に早くなぞる操作が行われると、問題画面１８２に戻り再度解答入力領域１８４が表示される。したがって選択内容確認領域１８５の表示により生徒が解答の間違いに気付いた場合には、速やかに再度解答することができる。
【０１１５】
次に図１９乃至図２１を参照して第三の実施例の変形例について説明する。図１９は、第三の実施例の生徒端末の表示の変形例を示す第一の図である。図１９（Ａ）は問題文が表示された問題画面１９１を示す。図１９（Ｂ）は解答入力領域１９３で問題文が覆われた問題画面１９２を示す。
【０１１６】
図１９の例では、例えば問題画面１９１の何れかの箇所において、生徒の指等により例えば右から左へ向かう方向に早くなぞる操作が行われると、解答入力領域１９３が右から左に向かって引き出されるようにして表示される。解答入力領域１９３は、対応する問題文が全て覆われるように表示されても良い。
【０１１７】
図１９に示す問題画面１９１には問題文が表示されており、選択肢は表示されていない。また図１９に示す解答入力領域１９３には、選択肢の番号と選択肢の内容とが対応付けられて表示される。すなわち図１９に示す解答入力領域１９３では、選択内容と選択肢の番号とが同時に表示されるため、解答する際に選択肢の番号を記憶する必要がない。
【０１１８】
また解答入力領域１９３は、問題文を全て覆うように表示されるため、問題文と解答とが同時に表示されることがなく、不正行為を抑制することができる。
【０１１９】
図２０は、第三の実施例の生徒端末の表示の変形例を示す第二の図である。図２０（Ａ）は問題文と選択肢とが表示された問題画面２０１を示す。図２０（Ｂ）は解答入力領域２０３で問題文と選択肢とが覆われた問題画面２０２を示す。
【０１２０】
図２０の例では、例えば問題画面２０１の右端から左に向かってなぞる操作が行われると、画面２０２に示す解答入力領域２０３が右から左に向かって引き出されるようにして表示される。解答入力領域２０３には、選択肢の番号と選択欄が表示されており、問題文と選択肢の内容は表示されない。
【０１２１】
また図２０の例では、例えば解答入力領域２０３の面積が対応する問題文と選択肢とを覆う広さになるように表示されると、解答入力領域２０３の表示が確定されても良い。さらに図２０の例では、解答入力領域２０３の面積が例えば問題文や選択肢の一部しか覆えない広さであった場合には、解答入力領域２０３の表示は確定せずに問題画面２０１に戻っても良い。
【０１２２】
このようにすれば、例えば解答入力領域２０３により問題文と選択肢が十分に覆われない状態で解答が表示されることを防止できる。
【０１２３】
図２１は、第三の実施例の生徒端末の表示の変形例を示す第三の図である。図２１（Ａ）は問題文が表示された問題画面２１１を示す。図２１（Ｂ）は解答入力領域２１３で問題文が覆われた問題画面２１２を示す。
【０１２４】
図２１の例では、例えば問題画面２１１の左端から右に向かってなぞる操作が行われると、問題画面２１２に示す解答入力領域２１３が左から右に向かって引き出されるようにして表示される。
【０１２５】
図２１の問題画面２１１には問題文が表示されており、選択肢は表示されていない。また図２１に示す解答入力領域２１３には、選択肢の番号と選択肢の内容とが対応付けられて表示される。すなわち図２１に示す解答入力領域２１３では、選択内容と選択肢の番号とが同時に表示されるため、生徒は解答する際に選択肢の番号を記憶する必要がない。
【０１２６】
また解答入力領域２１３は、問題文を全て覆う広さとなったとき、解答入力領域２１３の表示が確定されても良い。このようにすれば、問題文と解答とが同時に表示されることがなく、不正行為を抑制することができる。
【０１２７】
（第四の実施例）
以下に図面を参照して第四の実施例について説明する。第四の実施例では、解答入力領域において解答として選択された選択肢の表示が変化する点が第一の実施例と異なる。
【０１２８】
図２２は、第四の実施例における生徒端末における問題文及び選択肢と解答入力領域の表示について説明するフローチャートである。
【０１２９】
図２２のステップＳ２２０１、ステップＳ２２０２の処理は、図１７のステップＳ１７０１、ステップＳ１７０２の処理と同様であるから説明を省略する。
【０１３０】
ステップＳ２２０２に続いて生徒端末３００は、解答が選択されたか否かを判断する（ステップＳ２２０３）。ステップＳ２２０３において解答が選択されない場合、生徒端末３００は解答が選択されるまで待機する。
【０１３１】
ステップＳ２２０３において解答が選択された場合、生徒端末３００の表示制御部３４５は、解答入力領域において解答として選択された選択肢の表示フォントを変化させるか、又は選択肢の表示順を変化させる（ステップＳ２２０４）。尚ステップＳ２２０４において、選択肢の表示フォント又は選択肢の表示順のどちらを変化させるかは、予め生徒端末３００において設定されていても良い。
【０１３２】
続いて生徒端末３００は、解答入力領域において解答送信ボタンが操作されたか否かを判断する（ステップＳ２２０５）。ステップＳ２２０５において解答送信ボタンが操作されない場合、後述するステップＳ２２０９へ進む。ステップＳ２２０５において解答送信ボタンが操作された場合、生徒端末３００はステップＳ２２０６へ進む。
【０１３３】
ステップＳ２２０６、ステップＳ２２０７の処理は、図１３のステップＳ１３０４とステップＳ１３０５の処理と同様であるから説明を省略する。またステップＳ２２０８からステップＳ２２１０までの処理は、図１７のステップＳ１７０８からステップＳ１７１０の処理と同様であるから説明を省略する。
【０１３４】
図２３は、第四の実施例の生徒端末の表示例を示す図である。図２３（Ａ）に示す画面は図１９（Ａ）の問題画面１９１と同様である。図２３（Ｂ）に示す画面は図１９（Ｂ）の問題画面１９２と同様である。図２３（Ｃ）では、選択肢の表示フォントを小さくした解答入力領域２３２が表示された問題画面２３１を示す。図２３（Ｄ）では、選択肢の表示順を変化させた解答入力領域２３４が表示された問題画面２３３を示す。
【０１３５】
例えば選択肢の表示フォントを変化させる設定がされていた場合、表示制御部３４５は、解答入力領域１９３において選択操作を受け付けると、図２３（Ｃ）に示すように選択肢の表示フォントを小さくする。問題画面２３１の解答入力領域２３２では、解答入力領域１９３に表示された選択肢の表示フォントよりも小さい表示フォントで選択肢を表示させている。
【０１３６】
本実施例では、このように表示フォントを小さくすることで、解答選択後の問題画面２３２の表示を周囲から見えにくくなり、不正行為を抑制することができる。
【０１３７】
また例えば選択肢の表示順を変化させる設定がされていた場合、表示制御部３４５は、解答入力領域１９３において選択操作を受け付けると、図２３（Ｄ）に示すように選択肢の表示順を変化させる。問題画面２３３の解答入力領域２３４では、解答入力領域１９３に表示された選択肢において解答として選択された選択肢を一番左側へ配置するように、表示順を変更している。また解答入力領域２３４では、解答として選択された選択肢をボールド体（強調文字）として表示させている。
【０１３８】
本実施例では、解答選択後に選択肢の表示順を変化させることで、解答入力領域において解答として選択された選択肢が、解答入力領域のどの位置にあるかをわかりにくくなり、不正行為を抑制することができる。
【０１３９】
（第五の実施例）
以下に図面を参照して第五の実施例について説明する。第五の実施例では、選択肢上でフリック操作を行うことでその選択肢を解答として選択する実施例である。
【０１４０】
図２４は、第五の実施例における生徒端末における問題文及び選択肢と解答入力領域の表示について説明するフローチャートである。
【０１４１】
本実施例の生徒端末３００は、なぞり検知部３４４が問題画面におけるなぞり方向が画面の下から上方向で且つなぞりが早いか否かを判断する（ステップＳ２４０１）。ステップＳ２４０１において、下から上方向で且つ早いなぞりが検知された場合、生徒端末３００はなぞり開始位置に相当する選択肢の番号を解答として表示順テーブル３２０へ記録する（ステップＳ２４０２）。続いて表示制御部３４５は、解答を記録した旨の画面を表示操作装置３１に所定時間表示させる（ステップＳ２４０３）。所定時間とは、例えば数秒である。
【０１４２】
ステップＳ２４０１において、下から上方向で且つ早いなぞりが検知されない場合、生徒端末３００は、横方向で且つ早いなぞりを検知したか否かを判断する（ステップＳ２４０４）。図示しないが、なぞり位置がいずれの選択肢上でない場合は、エラーとして画面を移動させないようにしても良い。
【０１４３】
ステップＳ２４０４において、横方向で且つ早いなぞりを検知した場合、生徒端末３００は、現在表示中の問題の解答が表示順テーブル３２０に記録されているか否かを判断する（ステップＳ２４０５）。
【０１４４】
ステップＳ２４０５において解答が記録されている場合、表示制御部３４５は、問題画面に見直しをするための確認領域を表示させ（ステップＳ２４０６）、後述するステップＳ２４０８へ進む。
【０１４５】
ステップＳ２４０４において、横方向で且つ早いなぞりを検知しない場合、生徒端末３００は、ステップＳ２４０７へ進む。ステップＳ２４０７とステップＳ２４０８の処理は、図１７のステップＳ１７０９とステップＳ１７１０の処理と同様であるから説明を省略する。
【０１４６】
ステップＳ２４０５において解答が記録されていない場合、生徒端末３００は、表示中の問題の解答が選択されていない旨を表示させる（ステップＳ２４０９）。
【０１４７】
図２５は、第五の実施例の生徒端末の表示例を示す第一の図である。図２５（Ａ）に示す画面は図１８（Ａ）の問題画面１８１と同様である。図２５（Ｂ）に示すメッセージ画面２５１は解答送信後に表示される画面である。図２５（Ｃ）に示す問題画面２５２は、確認領域２５３が表示された画面である。図２５（Ｄ）に示す問題画面２５４は、次の問題が表示された画面である。
【０１４８】
本実施例では、例えば問題画面１８１の選択肢３を選択した状態（選択肢３に指等で触れている状態）でフリック操作が行われると、選択肢３が解答として選択されたものと判断される。
【０１４９】
すなわち本実施例では、選択肢の番号を選択させる解答入力領域を表示させずに解答を選択することができる。
【０１５０】
問題画面１８１においてフリック操作が終了すると、表示制御部３４５は、図２５（Ｂ）に示すメッセージ画面２５１を表示させる。メッセージ画面２５１では、解答が記録された旨のメッセージと、見直しを促すメッセージとが表示される。
【０１５１】
メッセージ画面２５１において見直しのための確認領域を表示させる操作が成されると、表示制御部３４５は、問題文を覆うように確認領域２５３を表示させる。確認領域２５３では、問題画面１８１に表示された問題文に対応した選択肢が表示される。この際に確認領域２５３では、解答として選択された選択肢を強調表示（ボールド体、フォントを大きくする或いは下線付き）等で表示する。また本実施例では、確認領域を表示させる操作が例えば右から左方向への早いなぞりであった場合には、確認領域２５３は問題画面２５２の右端から左に向かって引き出されるように表示されても良い。
【０１５２】
このように本実施例では、問題文に解答する際も、解答を見直しする際も、問題文と解答とが同時に表示されることはなく、不正行為を抑制できる。
【０１５３】
また本実施例の表示制御部３４５は、問題画面１８１においてフリック操作ではなく、スクロール操作を検知した際には、これを次の問題表示要求と判断し、画面２５４を表示させる。
【０１５４】
図２６は、第五の実施例の生徒端末の表示例を示す第二の図である。図２６（Ａ）に示す画面は図１８（Ａ）の問題画面１８１と同様である。図２６（Ｂ）に示す問題画面２６１には解答送信後にメッセージ欄２６２が表示される。図２６（Ｃ）に示す問題画面２６３には、確認領域２６４が表示される。
【０１５５】
図２６の例では、問題画面１８１の所望の選択肢を選択した状態でフリック操作がなされると、所望の選択肢が解答として表示順テーブル３２０へ記録され、問題画面２６１が表示される。問題画面２６１は、問題文と選択肢とを覆うようにメッセージ欄２６２が表示される。メッセージ欄２６２には、解答が送信された旨のメッセージと見直しを促すメッセージとが表示される。
【０１５６】
問題画面２６１において見直しのための確認領域を表示させる操作が成されると、表示制御部３４５は、確認領域２６４が表示された問題画面２６３を表示させる。確認領域２６４には、解答として選択された選択肢の内容が表示されている。また本実施例では、確認領域を表示させる操作が例えば右から左方向への早いなぞりであった場合には、確認領域２６４は問題画面２６３の右端から左に向かって引き出されるように表示されても良い。
【０１５７】
また問題画面２６１の何れかの箇所において右から左方向への早いなぞりが検知された場合、表示制御部３４５は、解答の修正ができるように問題画面１８１を表示させても良い。
【０１５８】
このように本実施例では、問題文に解答する際も、解答を見直しする際も、問題文と解答とが同時に表示されることはなく、不正行為を抑制できる。
【０１５９】
以上、各実施例に基づき説明を行ってきたが、上記各実施例を組み合わせて生徒端末に適用することも可能である。
【０１６０】
開示の技術では、以下に記載する付記のような構成が考えられる。
（付記１）
問題文を表示した問題画面に対する操作を受け付ける表示操作部と、
前記表示操作部において解答入力領域の表示要求操作を受け付けたとき、前記問題文と対応した解答入力領域を前記問題画面に重ねて表示させる表示制御部と、を有する試験実施端末。
（付記２）
前記問題画面に前記問題文と前記問題文の正解が含まれる複数の選択肢とが表示され、前記解答入力領域に前記選択肢に対応する番号が表示されるとき、
前記表示制御部は、
前記問題画面に表示された前記複数の選択肢を覆うように前記解答入力領域を表示させる付記１記載の試験実施端末。
（付記３）
前記問題画面に前記問題文が表示され、前記解答入力領域に前記問題文の正解が含まれる複数の選択肢と前記選択肢に対応する番号とが表示されるとき、
前記表示制御部は、
前記問題画面に表示された前記問題文を覆うように前記解答入力領域を表示させる付記１記載の試験実施端末。
（付記４）
前記解答入力領域において解答が選択されたとき、
前記表示制御部は、
前記解答入力領域における表示フォントを変更する付記１乃至３の何れか一項に記載の試験実施端末。
（付記５）
前記解答入力領域において解答が選択されたとき、
前記表示制御部は、
前記解答入力領域における表示の配置を変更する付記１乃至４の何れか一項に記載の試験実施端末。
（付記６）
前記問題画面には、前記問題文を識別する問題番号が表示されており、
前記表示制御部は、
前記問題画面における問題番号以外の表示を前記前記解答入力領域で覆うように表示させる付記１乃至５の何れか一項に記載の試験実施端末。
（付記７）
前記表示操作部において解答済みの問題文の解答が表示される確認領域の表示要求を受け付けたとき、
前記表示制御部は、前記問題画面に前記確認領域を重ねて表示させる付記１乃至６の何れか一項に記載の試験実施端末。
（付記８）
問題文と問題文の正解が含まれる複数の選択肢とが表示された問題画面に対する操作を受け付ける表示操作部と、
前記問題画面において前記複数の選択肢のうち何れかの選択肢が表示された選択肢表示領域上で所定の操作がなされたとき、前記選択肢表示領域に表示された前記選択肢を前記問題文の解答として受け付ける試験実施端末。
（付記９）
前記所定の操作は、フリック操作である付記８記載の試験実施端末。
（付記１０）
コンピュータによる試験実施方法であって、該コンピュータが、
問題文を表示した問題画面に対する操作を受け付け、
解答入力領域の表示要求操作を受け付けたとき、前記問題文と対応した解答入力領域を前記問題画面に重ねて表示させる試験実施方法。
（付記１１）
コンピュータによる試験実施方法であって、該コンピュータが、
問題文と問題文の正解が含まれる複数の選択肢とが表示された問題画面に対する操作を受け付け、
前記問題画面において前記複数の選択肢のうち何れかの選択肢が表示された選択肢表示領域上で所定の操作がなされたとき、前記選択肢表示領域に表示された前記選択肢を前記問題文の解答として受け付ける試験実施方法。
（付記１２）
コンピュータに、
問題文を表示した問題画面に対する操作を受け付ける表示操作処理と、
前記表示操作処理において解答入力領域の表示要求操作を受け付けたとき、前記問題文と対応した解答入力領域を前記問題画面に重ねて表示させる表示制御処理と、を実行させる試験実施プログラム。
（付記１３）
コンピュータに、
問題文と問題文の正解が含まれる複数の選択肢とが表示された問題画面に対する操作を受け付ける表示操作処理と、
前記問題画面において前記複数の選択肢のうち何れかの選択肢が表示された選択肢表示領域上で所定の操作がなされたとき、前記選択肢表示領域に表示された前記選択肢を前記問題文の解答として受け付ける処理と、を実行させる試験実施プログラム。
【０１６１】
本発明は、具体的に開示された実施例に限定されるものではなく、特許請求の範囲から逸脱することなく、種々の変形や変更が可能である。
【符号の説明】
【０１６２】
１００  試験実施システム
２００  教師端末
２１０  生徒データベース
２２０、３１０  問題データベース
２３０  解答データベース
２４０  表示順データベース
２５０  教師用プログラム
３００  生徒端末
３２０  表示順テーブル
３３０  表示制御データベース
３４０  生徒用プログラム
【図１】
0006003130.tif 000002
【図２】
0006003130.tif 000003
【図３】
0006003130.tif 000004
【図４】
0006003130.tif 000005
【図５】
0006003130.tif 000006
【図６】
0006003130.tif 000007
【図７】
0006003130.tif 000008
【図８】
0006003130.tif 000009
【図９】
0006003130.tif 000010
【図１０】
0006003130.tif 000011
【図１１】
0006003130.tif 000012
【図１２】
0006003130.tif 000013
【図１３】
0006003130.tif 000014
【図１４】
0006003130.tif 000015
【図１５】
0006003130.tif 000016
【図１６】
0006003130.tif 000017
【図１７】
0006003130.tif 000018
【図１８】
0006003130.tif 000019
【図１９】
0006003130.tif 000020
【図２０】
0006003130.tif 000021
【図２１】
0006003130.tif 000022
【図２２】
0006003130.tif 000023
【図２３】
0006003130.tif 000024
【図２４】
0006003130.tif 000025
【図２５】
0006003130.tif 000026
【図２６】
0006003130.tif 000027